(57)【特許請求の範囲】
【請求項１】
建築物の少なくとも二つの連結部材に接合され、これら接合される連結部材に跨って固着される接合金具であって、当該接合金具を固定するためのネジが取り付けられるネジ孔の内周縁端部にヒダ状となったセンター位置決め用のガイド部を備え、該ガイド部は、互いに隣接するヒダ同士に、これの根元円周に沿ってスリット部が形成されてなることを特徴とする接合金具。
【請求項２】
ガイド部は、ネジ孔の縁端部内周から外方へ向けて次第に縮径するテーパー状に突設されている請求項１記載の接合金具。
【発明の詳細な説明】
【技術分野】
【０００１】
本発明は、木造建築の例えば土台と柱、柱と梁、土台と縦枠等の互いの組付け連結部分に跨って接合固定される接合金具に関する。
【背景技術】
【０００２】
従来からこの種の接合金具としては、例えば特許文献１に開示されているように、金属板に、それぞれの連結部材に固定される固定具を挿通する貫通孔が設けられ、該貫通孔の周囲に当該金属板の面と段差を有するように凹部が背面側に突設され、前記凹部同士を連結するリブが設けられてなる接合金具なる技術が存在する。
【０００３】
また、特許文献２に開示されているように、梯形のプレートの両端に釘孔を有する止板を備え、前記梯形のプレートから突設する接合板を設け、前記梯形のプレートが主幹部材の側面に接する部分と、垂直部材の側面に接する部分に複数の釘孔を有し、前記垂直部材には接合板が嵌る係合溝を備えてなる木造建築の小屋組部材の接合装置なる技術が存在する。
【特許文献１】特開２００２−２７６０２６号公報
【特許文献２】特開２００４−６８３０６号公報
【発明の開示】
【発明が解決しようとする課題】
【０００４】
しかしながら、従来においては、特許文献１の固定具を挿通する貫通孔、および特許文献２の釘孔のいずれも単なる孔であるため、互いの組付け連結部分に跨って当接された接合金具の貫通孔もしくは釘孔に、固定具もしくは釘を打ち込む場合、これらがセンターずれを起こして斜め方向に曲がって打ち込まれてしまうという問題を有していた。
【０００５】
そこで、本発明は、叙上のような従来存した諸事情に鑑み案出されたもので、接合金具のネジ孔にネジをまっすぐにストレートにねじ込ませることができる接合金具を提供することを目的とする。
【課題を解決するための手段】
【０００６】
上述した課題を解決するため、本発明にあっては、建築物の少なくとも二つの連結部材に接合され、これら接合される連結部材に跨って固着される接合金具であって、当該接合金具を固定するためのネジが取り付けられるネジ孔の内周縁端部にヒダ状となったセンター位置決め用のガイド部を備え、該ガイド部は、互いに隣接するヒダ同士に、これの根元円周に沿ってスリット部が形成されてなることを特徴とする。
【０００７】
ガイド部は、ネジ孔の縁端部内周から外方へ向けて次第に縮径するテーパー状に突設されている。
【発明の効果】
【０００８】
本発明によれば、接合金具のネジ孔にネジをまっすぐにストレートにねじ込ませることができる。
【０００９】
すなわち、本発明は、建築物の少なくとも二つの連結部材に接合され、これら接合される連結部材に跨って固着される接合金具であって、当該接合金具を固定するためのネジが取り付けられるネジ孔の内周縁端部にヒダ状となったセンター位置決め用のガイド部を備えたので、当該ガイド部のヒダが、ネジのねじ込みに際してのセンター位置を規制することから当該ネジをまっすぐにストレートにねじ込ませることができる。
【００１０】
木造建築の現場においては数多くの接合金具が用いられるため、電動ドライバー等によって迅速且つ連続的にネジがねじ込まれるが、このようなときでも接合金具のネジ孔にセンターずれを起すことなくネジをまっすぐにストレートにねじ込ませることができる。
【００１１】
ガイド部は、ネジ孔の縁端部内周から外方へ向けて次第に縮径するテーパー状に突設されているので、ネジ孔にねじ込まれるネジの尖端部が側方にずれ込むことを防止させる。しかも、ガイド部のヒダ先端部はネジのねじ込みによって連結部材に食い込ませることができ、これによって連結部材に対する接合金具の固定がしっかりしたものとなる。
【００１２】
ガイド部は、互いに隣接するヒダ同士に、これの根元円周に沿ってスリット部が形成されてなるので、ネジ孔にネジをねじ込んだ際には、各ヒダが容易に押圧折曲されて連結部材に確実に食い込ませることができ、これによって連結部材に対する接合金具の固定がさらにしっかりしたものとなる。
【発明を実施するための最良の形態】
【００１３】
以下、図面を参照して本発明を実施するための最良の一形態を説明する。
本発明に係る接合金具１は、図１（ａ）に示すように、例えばステンレス鋼からなる平面視略台形状の薄厚板部材によって構成され、該接合金具１の上下それぞれの各所複数にわたってネジ孔２ａ、２ｂが設けられている。
【００１４】
この接合金具１における下側の４つのネジ孔２ａは、例えば、土台Ｐ１、もしくは梁等の横架材Ｐ２に固定するためのものであり、上側の４つのネジ孔２ｂは、柱Ｑ等に固定するのものである（図３参照）。
【００１５】
そして、これら各ネジ孔２ａ、２ｂには、図１（ａ）および図１（ｂ）に示すように、不図示の穿孔プレス機等による加工によって、ヒダ状となったセンター位置決め用のガイド部３が、当該ネジ孔２ａ、２ｂの縁端部内周から外方へ向けて次第に縮径するテーパー状となって突設されている。
【００１６】
すなわち、穿孔プレス機を使ってのガイド部３の加工形成に際し、先ず、中央に小円形状のセンター孔４が穿設され且つ該センター孔４を中心に外周方向に向けて例えば９０°角度間隔毎に４本の切断部５が形成されると同時に、これら切断部５を介してセンター孔４の周縁扇形部分を外方へ向けて拡げることで、ガイド部３が次第に縮径するテーパー状となって突設形成される。
【００１７】
また、ガイド部３は、互いに隣接するヒダ同士に、根元円周に沿ってスリット部７が形成されている。これにより、ネジ孔２ａ、２ｂにネジ６をねじ込んだ際には、当該ネジ６の頭部によるネジ孔２ａ、２ｂ周辺の連結部材側への押圧によって、各ヒダが根元から容易に折曲されるものとなり、ガイド部３におけるヒダ尖端の連結部材への食い込みが確実なものとなる。
【００１８】
次に、以上のように構成された最良の形態についての使用の一例について説明する。
接合金具１は、図３に示すように、互いに軸組された土台Ｐ１と柱Ｑ、あるいは梁等の横架材Ｐ２と柱Ｑ等の二つの連結部材に跨って当接され、下側の４つのネジ孔２ａにネジ６をねじ込むことで土台Ｐ１に固着され、上側の４つのネジ孔ｂ２にネジ６をねじ込むことで柱Ｑに固着される。
【００１９】
これらネジ孔２ａ、２ｂへのネジ６のねじ込みに際し、先ず、図２（ａ）に示すように、接合金具１のネジ孔２ａ、２ｂにおけるガイド部３のヒダ尖端を、前記連結部材に当てがった状態で、反対側からネジ孔２ａ、２ｂへネジ６をねじ込む。因みに、このネジ６のねじ込みには電動ドライバーが用いられる。
【００２０】
このとき、図２（ｂ）に示すように、ネジ６の尖端の一部が連結部材にねじ込まれた状態では、当該ネジ６の尖端周面が、ガイド部３のテーパー状のヒダに合致された状態となってセンター位置決めされる。このため、ネジ６はネジ孔２ａ、２ｂに対して垂直となった状態でまっすぐにねじ込まれる。
【００２１】
連結部材および接合金具１に対し、ネジ６が完全にねじ込まれた際には、図２（ｃ）に示すように、ネジ６の頭部でネジ孔２ａ、２ｂ周辺が連結部材側に押圧されるため、ガイド部３のヒダ尖端が連結部材内に食い込まれた状態となる。これにより、連結部材に対する接合金具１の固定がしっかりしたものとなる。
【００２２】
尚、連結部材への使用箇所に対応する上記した接合金具１の形状が、本発明を限定するものではないことは勿論である。また、本実施形態ではネジ６が使用されているがこのネジ６には、いわゆるビス、釘等も含まれることは勿論である。
【図面の簡単な説明】
【００２３】
【図１】本発明を実施するための最良の形態における接合金具の一例を示すもので、（ａ）は平面図、（ｂ）は右側面図である。
【図２】同じく接合金具の使用状態を説明するもので、（ａ）は接合金具のネジ孔を介して連結部材へネジをねじ込む前状態の断面図、（ｂ）は接合金具のネジ孔を介して連結部材へネジの尖端の一部をねじ込んだ状態の断面図、（ｃ）は接合金具のネジ孔を介して連結部材へネジを完全にねじ込んだ状態の断面図である。
【図３】同じく接合金具の使用状態を示す斜視図である。
【符号の説明】
【００２４】
Ｐ１        土台
Ｐ２        横架材
Ｑ          柱
１          接合金具
２ａ、２ｂ  ネジ孔
３          ガイド部
４          センター孔
５          切断部
６          ネジ
７          スリット部
【図１】
0004839249.tif 000002
【図２】
0004839249.tif 000003
【図３】
0004839249.tif 000004